(57)【要約】【技術課題】  ガス栓を閉じて確実に固定することができると共に再開に際しては需要家自身が解錠できるようにしてガス事業者がいちいち解錠する手間を省く。【解決手段】  クランプ１０でガス栓４のところの入側配管２に取り付け、ハンドル５を閉位置に回転したとき、このハンドル５を開方向に回転できないようにアーム２４で固定する。アーム２４はダイヤル錠３４の施錠により固定され、解錠によりフリーとなる。ダイヤル錠３４のダイヤルは暗証番号とし、この暗証番号は装置を取り付けたときにガス事業者が設定する。解錠の時は通信回線を通じて暗証番号を需要家に教え、需要家が解錠手続を行う。この結果、ガス事業者がいちいち解錠に出向く必要がなくなる。又、いち早くガスの供給を再開できる。【選択図】        図１１
2005264480.tif 000002
【特許請求の範囲】
【請求項１】
ガス栓が取り付けられている入側配管に対して着脱自在に取り付け可能なクランプと、このクランプに一端が固定されていると共に、ガス栓の側方に近接するように形成されたベースと、このベースのシリンダーに回転自在に枢支されたフック付のアームと、前記ベースの取付部に対して止めねじで着脱自在に取り付けられた錠ホルダーと、
この錠ホルダーに対してＵ字金具を介して吊設されていると共に前記アームを水平位置に回転させて前記Ｕ字金具内にフックを係合させてアームを固定する暗証番号式のダイヤル錠と、から成るガス栓固定装置。
【請求項２】
請求項１のクランプは、水平Ｌ型の固定側クランプと、この固定側クランプに揺動自在に取り付けられた調整ボルトが基部のねじ孔に螺入されていると共に、このねじ孔の軸方向に対して直角方向の端面に固定ねじの先端が係合する凹部が形成された可動側クランプと、前記固定側クランプに形成したＵ字溝に対してスライドナットを介して取り付けられていて、先端が前記可動側クランプの凹部に係合自在の固定ボルトと、から成ることを特徴とするガス栓固定装置。
【請求項３】
請求項１のクランプは、ガス栓の上下において、ガス配管に対して横方向から係合自在のコ字型のクランプ枠体と、このクランプ枠体を連結して緊締する固定ねじから成ることを特徴とするガス栓固定装置。
【請求項４】
請求項１の調整ボルト及び固定ねじ及びプラグねじ及び止めねじには、回転用の特殊工具のみが係合する係合部が形成されていることを特徴とするガス栓固定装置。
【請求項５】
請求項１に記載のアームには、アームの初動回転範囲を規制するアームロック機構が組み込まれていることを特徴とするガス栓固定装置。
【請求項６】
請求項１のダイヤル錠は、ガス事業者が任意に暗号化して施錠し、解錠は、この暗号化したダイヤル番号を通信手段を用いて需要家に教え、需要家自身が行うことを特徴とするガス栓固定装置。
【発明の詳細な説明】
【技術分野】
【０００１】
本発明は、ガスメータの入側配管に取り付けられているガス栓（通称「元栓」）を閉栓施錠するためのメータガス栓固定装置に関する。
【背景技術】
【０００２】
ガスメータの入側配管であって、ガスメータに近い位置には、長期間ガスを使用しない時、あるいは緊急時用のために、手動式のガス栓が取り付けられている。図１は、この例を示すもので、１はガスメータ、２はガスメータ１の上流側となる入側配管、３は出側配管であって、ガスは入側配管２からガスメータ１内に入り、計量されて出側配管３から需要家内に引き込まれる。
４は入側配管２に取り付けられたメータガス栓（元栓）であって、ハンドル５が図１のように垂直に位置している場合が開で、左又は右に９０°回転させてハンドル５が水平位置の場合は閉である。このようにして使用されるメータガス栓４は、通常自由に開閉できる構造となっているが、悪戯等により開閉されるのを防止するために、ハンドル５の裏側にロック機構が組み込まれている場合がある。
【０００３】
【特許文献１】特開平１１−２７０７４０号  この発明は、ハンドルの付け根の裏側にロックピンを組み込んでおき、ハンドルロック時にはロックピンを特殊工具でねじ込んでガス栓本体側に係合させ、ロック解除の時は同じように特殊工具を用いてロックピンを廻してガス栓本体側との係合を解除する構成である。  したがって、このロック機構においても、メータガス栓の閉栓ロックは可能であるが、この閉栓ロックは、ガス事業者がいちいち行うために、その都度作業員が需要家の処に足を運んで閉栓ロックとロック解除の作業を行う必要があり、この手間が大変である。  又、別の閉栓ロック方法としては、多くはガス料金の未払い者に対して行う方式であるが、ワイヤと鉛でハンドルを回転できないようにしてしまう所謂封印ロック方式がある。  しかし、この封印ロック方式の場合、ワイヤーはペンチ等を用いて簡単に切断することができるため、未払い者に対する閉栓ロック方式としては有効でない。また、この封印ロック及び解除も、ガス事業者がいちいち行うため、この手間が大変である。
【発明の開示】
【発明が解決しようとする課題】
【０００４】
本発明は斯る点に鑑みて提供されるものであって、その目的は、閉栓ロックを確実に行うことができると共に、閉栓施錠作業はガス事業者が行い、開栓解錠作業は需要家自身が行うことができるように構成して、膨大な需要家をかかえるガス事業者の手間を半減させ、更に、スピーディーに解錠ができて直ぐにでもガスの使用が可能なメータガス栓固定装置を提供することである。
【課題を解決するための手段】
【０００５】
上記目的を達成するため、請求項１に記載の発明においては、ガス栓固定装置において、ガス栓が取り付けられている入側配管に対して着脱自在に取り付け可能なクランプと、このクランプに一端が固定されていると共に、ガス栓の側方に近接するように形成されたベースと、このベースのシリンダーに回転自在に枢支されたフック付のアームと、前記ベースの取付部に対して止めねじで着脱自在に取り付けられた錠ホルダーと、
この錠ホルダーに対してＵ字金具を介して吊設されていると共に前記アームを水平位置に回転させて前記Ｕ字金具内にフックを係合させてアームを固定する暗証番号式のダイヤル錠と、から成ることを特徴とするものである。
【０００６】
更に、請求項２に記載の発明においては、請求項１のクランプは、水平Ｌ型の固定側クランプと、この固定側クランプに揺動自在に取り付けられた調整ボルトが基部のねじ孔に螺入されていると共に、このねじ孔の軸方向に対して直角方向の端面に固定ねじの先端が係合する凹部が形成された可動側クランプと、前記固定側クランプに形成したＵ字溝に対してスライドナットを介して取り付けられていて、先端が前記可動側クランプの凹部に係合自在の固定ボルトと、から成ることを特徴とするものである。
【０００７】
更に、請求項３に記載の発明においては、請求項１のクランプは、ガス栓の上下において、ガス配管に対して横方向から係合自在のコ字型のクランプ枠体と、このクランプ枠体を連結して緊締する固定ねじから成ることを特徴とするものである。
【０００８】
更に、請求項４に記載の発明においては、請求項１の調整ボルト及び固定ねじ及びプラグねじ及び止めねじには、回転用の特殊工具のみが係合する係合部が形成されていることを特徴とするものである。
【０００９】
更に、請求項５に記載の発明においては、請求項１に記載のプラグねじには、アームの初動回転範囲を規制するアームロック機構が組み込まれていることを特徴とするものである。
【００１０】
更に、請求項６に記載の発明においては、請求項１のダイヤル錠は、ガス事業者が任意に暗号化して施錠し、解錠は、この暗号化したダイヤル番号を通信手段を用いて需要家に教え、需要家自身が行うことを特徴とするものである。
【００１１】
〔作用〕
ガス料金の未払いがあり、再三の催促を行うも支払いが実行されない場合に、ガス事業者は、ガスの供給を止めることができる。本発明に係る固定装置は、このような時に用いられる。
先ず、需要家の処に赴き、ガスメータの入側配管に対してクランプを用いて固定装置を取り付ける。その上で、ガス栓のハンドルを水平方向に９０°廻してガス栓を閉にする。その後で、アームを約９０°起こしてハンドルの下に当てて支えるようにしたのち、アームのフックをダイヤル錠のＵ字金具内に通し、施錠する。この施錠時のダイヤルは、任意に番号を暗号化してセットすることができるタイプのものであるため、ガス事業者は、固定装置を設置した日付、場所等のコードをある法則（数式）に代入して暗証番号を設定したりすることにより、ガス事業者以外には解錠ができないものとする。
【００１２】
需要家からガス料金の支払があり、供給再開を行う場合には、ガス事業者は電話、インターネット回線等を経由して暗証番号を需要家に教える。需要家は、教えられた暗証番号を基にしてダイヤルを廻し、番号を設定すると、Ｕ字金具が開くので、アームのフックをこのＵ字金具から外し、アームを下方に逃がすと、ガス栓のハンドルはフリーとなり、９０°開方向に廻して開栓し、ガスの使用ができるようになる。
【発明の効果】
【００１３】
本発明に係るメータガス栓固定装置は、既設のガス栓の処に後付けして使用するものであり、ハンドルの固定は、任意解錠番号が設定自在のダイヤル錠を用いたことにより、施錠はガス事業者が行うも、解錠は需要家自身が行うことができる。
この結果、ガスの供給再開に際し、ガス事業者が負う手間は半減する。
また、ガス料金の支払いがあり、需要家からガスを使いたい、との申し入れがあれば電話やインターネット回線を経由して暗証番号を教えることができるため、ガスの使用再開は即刻できる。よって、需要家にとっても本発明に係るガス栓固定装置は大変便利である。
【実施例１】
【００１４】
図２（Ａ）、（Ｂ）、（Ｃ）に本発明に係る固定装置の全体を示し、１０はクランプ、２０はベース、２４はアーム、３６はダイヤル錠である。先ず、クランプ１０からその構造と使用例を説明する。図３はクランプの正面図、図４（Ａ）〜（Ｄ）は使用方法であって、このクランプ１０は、固定装置を入側配管２に取り付けるために用いられる。具体的な構成は、図３、図４に示すように、Ｌ型の固定側クランプ１１と、この固定側クランプ１１に対してテーパ穴１１ｂの作用で揺動自在の調整ボルト１２により取り付けられた可動側クランプ１３と、この可動クランプ１３の頭部１４に形成された凹部１５に対して先端１８が係合するように固定側クランプ１１に取り付けられた固定ねじ１７とから成る。そして、この固定ねじ１７は、固定側クランプ１１に形成されたＵ字状ガイド溝１６にスライドナット１９を介してスライド自在に取り付けられている。このクランプ１０を入側配管２に取り付ける場合には、図４（Ｂ）に示すように、固定側クランプ１１と可動側クランプ１３間に入側配管２を位置させ、図４（Ｃ）に示すように調整ボルト１２を回転して固定側クランプ本体１１と可動側クランプ１３の間隔を狭めて図４（Ｃ）に示すように入側配管２を挟み込み、更に調整ボルト１２を締め付けることにより、クランプ１０は入側配管２をクランプする。その上で、固定ねじ１７を締め付けてその先端１８を凹部１５内に挿入し、更に締め付けることにより、可動側クランプ１３は調整ボルト１２の揺動作用で図４（Ｄ）に示すように下方回転しながら入側配管２に密着し、入側配管２を緊締する。
【００１５】
図４において、１１ａは固定側クランプ１１において、入側配管２を挟持する面に形成されたＶ状の配管受け部、１３ａは可動側クランプ１３において、前記配管受け部１１ａと対向するように形成された円弧状の配管押え部であって、この押え部１３ａの固定中心軸ｂは、図４（Ａ）に示すように、受け部１１ａの固定中心軸ａよりも下方にずれていて、図４（Ｄ）に示すように入側配管２を完全にクランプした状態において、入側配管２の中心と中心軸ａ、ｂが一直線上に位置し、クランプを完全なものとしている。
１２ａは調整ボルト１２のねじ部、１３ｂは可動側クランプ１３に設けたねじ孔であって、前記調整ボルト１２は、このねじ孔１３ｂに螺入されている。
２０は前記クランプ１０の固定側クランプ１１に上端２１が固定（実施例は溶接）されていて、クランプ１０を水平にしたときに鉛直方向を向くベースであって、このベース２０の下部２２の正面側には、アーム２４が取り付けられている。
【００１６】
このアーム２４について更に詳しく説明すると、図５に示すように、アーム２４の正面側にはシャフト部２５ａとプレート部２５ｂから成るフック２５が取り付けられていると共にアーム２４の軸部２４ａは、ベース２０側のシリンダー２６、ロックシャフト２７、コイルバネ２８、スプリングピン２９、止め輪３０から成るアームロック機構により、アーム２４を鉛直位置に戻した時に、再度回転しようとしても、一定の角度（実施例では４０°）しか回転せず、ガス栓４を緊急に閉止したいときにハンドル５の回転の邪魔とならない位置に逃がしておくものである。勿論、ハンドル固定時には、プラグねじ２３を弛めて引き出すことにより、アームロックを外し、９０°回転することができる。
具体的には、シリンダー２６の基部外周にはピン溝２６ａが形成され、シリンダー２６の先端から内方に向けてはロックシャフト組込穴２６ｂが形成されていると共に、このロックシャフト組込穴２６ｂには、対象位置に９０°の角度でシリンダー凹部２６ｃが形成されている。
【００１７】
ロックシャフト２７は前記ロックシャフト組込穴２６ｂ内に収まる外径から成り、中心にはプラグねじ貫通孔２７ｂが形成され、外周面には前記シリンダー凹部２６ｃに係合するロックシャフト凸部２７ａが１８０°の位置に夫々形成されている。
また、アーム２４の軸部２４ａの中心にはプラグねじ貫入穴２４ｂと、プラグねじ２３のねじ２３ａが螺合するねじ部２４ｃが形成され、軸部２４ａの裏側には、シリンダが入るシリンダ組込穴２４ｇとロックシャフト２７の先端側が入る直径の大径穴２４ｄ及びこの大径穴２４ｄと、前記ロックシャフト２７側のロックシャフト凸部２７ａが係合するロックシャフト係合凹部２４ｅが対称位置に形成されている。アーム２４とシリンダ２６はピン溝２６ａとスプリングピン２９の係合により回転自在で抜け止め状態に組付けられている。
【００１８】
図６（Ａ）（Ｂ）は、ロック機構が組み立てられた状態であって、アームがフリー範囲に在る時のロック機構の断面を示すもので、ロックシャフト２７の両側のロックシャフト凸部２７ａは、コイルばね２８に押されてシリンダー２６の表面に当っている。また、ロックシャフト凸部２７ａは、アーム２４のロックシャフト係合凹部２４ｅに嵌合していて、ロックシャフト２７はアーム２４を回転させると、一緒に回転する状態となっている。
図７（Ａ）（Ｂ）は、アーム２４がロック範囲に在る時のロック機構の断面を示すもので、アーム２４が倒れて（回転して）ある角度を過ぎるとコイルばね２８の力でロックシャフト２７の凸部２７ａがシリンダー２６の凹部２６ｃに落ちる。このため、ロックシャフト２７の凸部２７ａがシリンダー２６の凹部２６ｃに嵌合し、アーム２４が起きないようにロックする。
【００１９】
図８（Ａ）は、アーム２４がロックされた状態において、このロックを外す場合であり、プラグねじ２３は、特殊工具３１によってのみ廻すことができ、これにより悪戯や、ロックを逃れる操作ができないようにしている。そして、プラグねじ２３を弛めると、このプラグねじ２３は図８（Ｂ）に示すように引き出すことができるので、この引き出しによりロックシャフト２７をシリンダー２６内から引き出して凹部２６ｃからロックシャフト２７側の凸部２７ａを外すとアーム２４はフリーとなり、９０°アーム２４を戻すことができる。
【００２０】
３２はベース２０に於いて、前記アーム２４の位置より前方に位置するようにクランク状に折り曲げて形成された錠ホルダー取付部であって、この錠ホルダー取付部３２には図９に示すように止めねじ孔３３が設けてあり、この止めねじ孔３３には特殊工具３１でのみ回転可能な止めねじ３５により錠ホルダー３４が取り付けられている。但し、この錠ホルダー３４は、止めねじ３５を取り外すことにより、錠ホルダー取付部３２から下方に引き抜いて取り外すことができるように、錠ホルダー取付部３２が嵌合する嵌合口３４ａが形成されている。また、錠ホルダー３４には、ダイヤル錠のＵ字金具３８を通すための孔３４ｂが設けられていて、この孔３４ｂにダイヤル錠３６は図９に示すようにＵ字金具３８で吊設される。
ダイヤル錠３６は、解錠用の暗証番号を任意に設定できるタイプであって、この暗証番号をダイヤル３７で設定したときに、Ｕ字金具３８が浮き出て解錠状態となる。
【００２１】
次に、以上に説明した固定装置を用いてガス栓を固定する場合と、この固定を解除する場合について、図１０〜図１２を基に説明する。
先ず、ハンドル５を固定する場合は、図１０（Ａ）に示すように、ガス栓４のハンドル５を９０°固定装置側に回転して水平状態にする。
次に、（Ｂ）において、アーム２４を時計方向に回転し、図１１（Ａ）（Ｂ）に示すように、このアーム２４をハンドル５の下に位置させる。その上で、ダイヤル錠３６のＵ字金具３８とフック２５のプレート部２５ｂを係合し、図１２（Ａ）（Ｂ）に示すように施錠を行う。この結果、ハンドル５は固定されてしまい、開操作を行うことができなくなる。
以上の固定作業は、ガス事業者が行い、ダイヤル錠３６の暗証番号は、その都度ガス事業者が管理し、需要家には知らせない。
【００２２】
次に、ハンドルの固定解除について説明すると、ガス料金の支払いがあり、これを確認すると、ガス事業者は、暗証番号を需要家に教える。需要家は、この暗証番号でダイヤル錠３６の解錠を行い、Ｕ字金具３８とフック２５のプレート部２５ｂの係合を外すと、アーム２４はフリーとなり、９０°反時計方向に回転して元に戻すことができる。このアーム２４の逃げにより、ガス栓４のハンドル５はフリーとなり、ガスの使用を再開できる（図１０（Ａ）（Ｂ）の状態）。
このようにして一担アーム２４を元に戻した場合、アーム２４はそのアームロック機構の働きにより、図１３に示すように一定の角度、つまりガス栓４のハンドル５の開閉に支障を来たさない範囲については回動できるが、アームフリー範囲での回動はできなくなる。
【００２３】
次に、ガス栓４のハンドル５を固定している状態でダイヤル錠３６の暗証番号が解らなくなった場合について説明する。この場合は、図１４に示すように、特殊工具３１を用いて錠ホルダー３４を止めている止めねじ３５を取り外すと、図１５に示すように錠ホルダー取付部３２から錠ホルダー３４を抜き取ることができるので、その上で図１６に示すようにダイヤル錠３６のＵ字金具３８とフック２５のプレート部２５ｂの係合を外すことができ、ダイヤル錠３６はアーム２４から外れ、アーム２４はフリーとなる。
【実施例２】
【００２４】
本実施例は、図１７（Ａ）（Ｂ）に示すように、アーム２４をコ字形に形成し、ガス栓４のハンドル５は、左右９０°回転で閉となるため、この両用に対応しようとするもので、左水平方向に回転して閉とした場合に、コ字状のアーム２４の枠２４ｆでハンドル５を実施例１と同様に規制するタイプである。この結果、左閉の場合は勿論、右閉の場合もコ字状のアーム２４で対応することができる。
【実施例３】
【００２５】
本実施例は、請求項３に対応するもので、実施例１のクランプ１０で装置を固定できない条件の場所において、クランプ１０に換えて装置を固定する例であって、図１８に示すように、上部クランプ枠体５０と下部クランプ枠体５１から成り、このクランプ枠体５０と５１にはＵ字状の切り込み５０ａ、５１ａが形成されていて、このＵ字状の切り込み５０ａ、５１ａを夫々ガス栓４の上下のパイプ接続部４ａ、４ｂの外に嵌め込み、両枠体５０、５１を固定ねじ５３、５４で締め付けることにより、ガス栓４を挟み込むようにして固定する例である。
【図面の簡単な説明】
【００２６】
【図１】ガスメータとメータガス栓の取り付け状態を表す説明図。
【図２】ハンドル固定装置の説明図であって、（Ａ）は正面図、（Ｂ）は側面図、（Ｃ）は平面図。
【図３】クランプ部分の断面図。
【図４】（Ａ）〜（Ｄ）はクランプの作用説明図。
【図５】アームとこの回転ロック機構の分解説明図。
【図６】アームロック機構のガス栓施錠時の説明図であって、（Ａ）は（Ｂ）のＡ−Ａ線断面図、（Ｂ）は（Ａ）のＢ−Ｂ線断面図。
【図７】アームロック状態の説明図であって、（Ａ）は（Ｂ）のＣ−Ｃ線断面図、（Ｂ）は（Ａ）のＤ−Ｄ線断面図。
【図８】アームの悪戯防止機構の説明図であって、（Ａ）はプラグねじを特殊工具で弛めている状態の説明図、（Ｂ）はプラグねじを引き出してロックを外し、アームをフリーとした状態の説明図。
【図９】ダイヤル錠とこの取付部の説明図。
【図１０】固定装置をガス栓の処に取り付けた状態であって、（Ａ）はハンドルを閉位置に回転した状態のガス栓側から見た正面図、（Ｂ）は固定装置側から見た正面図。
【図１１】固定装置のアームを９０°回転させてハンドルの下に位置させた状態であって（Ａ）はガス栓側から見た正面図、（Ｂ）は固定装置側から見た正面図。
【図１２】ダイヤル錠を施錠した状態であって、（Ａ）はガス栓側から見た正面図、（Ｂ）はダイヤル錠側から見た正面図。
【図１３】アームの回転ロック位置の説明図。
【図１４】ダイヤル錠ホルダーの止めねじを特殊工具で弛めている状態の説明図。
【図１５】ダイヤル錠ホルダーをベースより取り外している状態の説明図。
【図１６】ダイヤル錠ホルダーをフックより取り外し、アームを元に戻した状態の説明図。
【図１７】実施例２の説明図であって、（Ａ）はハンドルロック状態の説明図、（Ｂ）はハンドルロック状態を下方から見た時の正面図。
【図１８】実施例３の説明図であって、（Ａ）はハンドルを固定した状態をガス栓側から見た正面図、（Ｂ）は左側面図、（Ｃ）は平面図。
【符号の説明】
【００２７】
１  ガスメータ
２  入側配管
４  ガス栓
５  ハンドル
１０  クランプ
１１  固定側クランプ
１２  調整ボルト
１３  可動側クランプ
１７  固定ねじ
２０  ベース
２３  プラグねじ
２４  アーム
３４  ダイヤル錠ホルダー
３５  止めねじ
３６  ダイヤル錠
３８  Ｕ字金具
５０  上部クランプ枠体
５１  下部クランプ枠体
５３・５４  固定ねじ
【図１】
2005264480.tif 000003
【図２】
2005264480.tif 000004
【図３】
2005264480.tif 000005
【図４】
2005264480.tif 000006
【図５】
2005264480.tif 000007
【図６】
2005264480.tif 000008
【図７】
2005264480.tif 000009
【図８】
2005264480.tif 000010
【図９】
2005264480.tif 000011
【図１０】
2005264480.tif 000012
【図１１】
2005264480.tif 000013
【図１２】
2005264480.tif 000014
【図１３】
2005264480.tif 000015
【図１４】
2005264480.tif 000016
【図１５】
2005264480.tif 000017
【図１６】
2005264480.tif 000018
【図１７】
2005264480.tif 000019
【図１８】
2005264480.tif 000020